(57)【要約】【課題】サイズの異なる飲料容器を確実に保持することができるとともに、組立作業がより容易な車両用カップホルダを提供する。【解決手段】飲料容器が収容される容器収容体１１に、飲料容器の外周面に対して接離可能な複数の支持片１６の下部が揺動可能に支持されている。容器収容体１１及び各支持片１６に対し、その周囲から環状のゴム部材１７が巻き付けるように組み付けられている。そして、ゴム部材１７により、各支持片１６に対して容器収容体１１の内向きに力が加えられる。【選択図】図１
2007161086.tif 000002
【特許請求の範囲】
【請求項１】
容器収容体に収容された飲料容器の外周面に対して接離可能に同容器収容体に支持され、飲料容器の外周面を受けるようにした支持片を備えるカップホルダにおいて、
紐状に形成されるとともに伸縮可能なばね部材を、前記支持片に対しその周囲から巻き付けるように組み付け、このばね部材が同支持片に対して前記容器収容体の内向きに力を加えるように構成したことを特徴とする車両用カップホルダ。
【請求項２】
前記支持片を、飲料容器を取り囲むように複数設けるとともに、前記ばね部材を環状としたことを特徴とする請求項１に記載の車両用カップホルダ。
【請求項３】
前記支持片を、同支持片がその下部を中心として揺動可能となるように前記収容体に支持したことを特徴とする請求項１又は請求項２に記載の車両用カップホルダ。
【請求項４】
前記ばね部材は、環状のゴム部材であることを特徴とする請求項１〜請求項３のいずれか一項に記載の車両用カップホルダ。
【発明の詳細な説明】
【技術分野】
【０００１】
この発明は、車両の室内に装備されるとともに飲料容器を保持する車両用カップホルダに関するものである。なお、この明細書において、「飲料容器」とは、飲料カップ及び飲料瓶を含む。
【背景技術】
【０００２】
従来、この種のカップホルダとしては、例えば特許文献１に記載されたものがある。このカップホルダにおいては、図７（ａ），（ｂ）に示すように、飲料容器Ｄが収容されるトレイ５０の周壁における一方の側に、飲料容器の外周面を受けるための保持部５１が形成されている。また、トレイ５０の周壁における保持部５１と対向する位置には、ねじりコイルばね５２の付勢力により飲料容器を保持部５１に押し付けるサポート５３が揺動可能に支持されている。そして、トレイ５０に収容された飲料容器Ｄは、ねじりコイルばね５２の付勢力により上方に回動しようとするサポート５３によって保持部５１側に押され、保持部５１とサポート５３との間に挟持される。
【０００３】
また、特許文献２に記載されたカップホルダにおいては、図８（ａ），（ｂ）に示すように、飲料容器Ｄが収容されるホルダ本体６０の周壁における一方の側に、第１保持面６１ａ及び第２保持面６１ｂを有する略変形五角形の保持部材６１が回動可能に支持されている。この保持部材６１は、ホルダ本体６０との間に設けられたねじりコイルばね６２により、第１保持面６１ａをホルダ本体６０の中央側に向けた位置（図８（ａ）の位置）、又は、第２保持面６１ｂをホルダ本体６０の中央側に向けた位置（図８（ｂ）の位置）に保持される。そして、比較的直径の大きな飲料容器Ｄをホルダ本体６０に入れたときには、第１保持面６１ａが飲料容器Ｄの外周面に当接された状態で、ねじりコイルばね６２の付勢力により保持部材６１が飲料容器Ｄに押し付けられる。また、比較的直径の小さな飲料容器Ｄをホルダ本体６０に入れたときには、第２保持面６１ｂが飲料容器Ｄの外周面に当接された状態で、ねじりコイルばね６２の付勢力により保持部材６１が飲料容器Ｄに押し付けられる。
【特許文献１】実開平６−５０９６９号公報
【特許文献２】実開平６−７８０６６号公報
【発明の開示】
【発明が解決しようとする課題】
【０００４】
ところが、上記特許文献１のカップホルダにおいては、小さくて取り扱いにくいねじりコイルばね５２をトレイ５０とサポート５３との間に組み付けなければならないので、その組立作業が面倒であった。
【０００５】
また、上記特許文献２のカップホルダにおいても、ホルダ本体６０と保持部材６１との間にねじりコイルばね６２を組み付けなければならないので、組立作業が面倒であった。
この発明の目的は、サイズの異なる飲料容器を確実に保持することができるとともに、組立作業がより容易な車両用カップホルダを提供することにある。
【課題を解決するための手段】
【０００６】
上記目的を達成するために、請求項１に記載の発明は、容器収容体に収容された飲料容器の外周面に対して接離可能に同容器収容体に支持され、飲料容器の外周面を受けるようにした支持片を備えるカップホルダにおいて、紐状に形成されるとともに伸縮可能なばね部材を、前記支持片に対しその周囲から巻き付けるように組み付け、このばね部材が同支持片に対して前記容器収容体の内向きに力を加えるように構成したことを特徴とする。
【０００７】
請求項２に記載の発明は、請求項１に記載の発明において、前記支持片を、飲料容器を取り囲むように複数設けるとともに、前記ばね部材を環状としたことを特徴とする。
請求項３に記載の発明は、請求項１又は請求項２に記載の発明において、前記支持片を、同支持片がその下部を中心として揺動可能となるように前記収容体に支持したことを特徴とする。
【０００８】
請求項４に記載の発明は、請求項１〜請求項３のいずれか一項に記載の発明において、前記ばね部材は、環状のゴム部材であることを特徴とする。
【発明の効果】
【０００９】
この発明によれば、飲料容器を受ける支持片によって、サイズの異なる飲料容器を容器収容体内に確実に保持することができる。また、紐状に形成されるとともに伸縮可能なばね部材を支持片に対しその周囲から巻き付けるように組み付け、このばね部材が支持片に対して容器収容体の内向きに力を加えるようにした。このため、従来の特許文献１，２とは異なり、小さくて取り扱いにくいねじりコイルばねを容器収容体と支持片との間に組み付けることが不要となる。従って、サイズの異なる飲料容器を確実に保持することができるとともに、組立作業がより容易なカップホルダを提供することができる。
【００１０】
また、支持片を、飲料容器を取り囲むように複数設けるとともに、ばね部材を環状とすることが好ましい。この場合には、飲料容器を取り囲む複数の支持片により、平断面形状が異なる複数種の飲料容器を容器収容体内により確実に保持することができる。また、支持片毎にねじりコイルばねを組み付ける必要がないので、組立作業がより一層容易となる。従って、平断面が円形や異形の飲料容器を容器収容体内により確実に保持することができるとともに、組立作業がより一層容易なカップホルダを提供することができる。
【発明を実施するための最良の形態】
【００１１】
次に、この発明を、例えば車両のリヤコンソールやドアトリム等の内装パネルに設けられる車両用カップホルダに具体化した一実施形態について図１〜図６に従って説明する。
図１、図２及び図３に示すように、カップホルダ１０は、内装パネル１２（図３に図示）に設けられた開口部１２ａの下方に配置されている。カップホルダ１０は、合成樹脂にて形成されるとともに飲料容器を収容するための有底円筒形状の容器収容体１１を備え、この容器収容体１１は、内装パネル１２内の図示しない構造部に支持されている。この容器収容体１１の底壁下面中央には支持柱１３が一体形成され、この支持柱１３には、合成樹脂からなる円板状の支持板１４が嵌着固定されている。図４に示すように、支持板１４の周縁部における３箇所には、支持軸１４ａが一体形成されている。
【００１２】
図３に示すように、各支持軸１４ａには、飲料容器Ｄを保持するための支持片１６の下部が揺動可能に支持されている。各支持片１６は、容器収容体１１に収容された飲料容器Ｄを取り囲むように容器収容体１１の外周側において等角度間隔に配置されるとともに、容器収容体１１の周壁に形成された開口部１５を通じて飲料容器Ｄの外周面に対してそれぞれ接離可能とされている。
【００１３】
支持片１６は、その下端の把持部１６ａが支持軸１４ａを把持することにより、その下端を中心として回動可能に容器収容体１１に支持されている。また、支持片１６の上部には、開口部１５から容器収容体１１の内側に入り込んで飲料容器Ｄの外周面に接離可能な当接部１６ｂが突出形成され、その上面には、カム面１６ｄが形成されている。当接部１６ｂの上側には、容器収容体１１の周壁外面に当接し、支持片１６のそれ以上の容器収容体１１の内側への回動を規制する係止部１６ｃが形成されている。
【００１４】
さらに、各支持片１６の外周側の凹部１６ｅには、環状に形成されるとともに伸縮可能なゴム部材（ばね部材）１７が巻き付けられている。このゴム部材１７は、各支持片１６に対して容器収容体１１の内側向きに力を加えるようになっている。
【００１５】
さて、上記カップホルダ１０の容器収容体１１の内側に飲料容器Ｄを入れる場合には、飲料容器Ｄの下部が各支持片１６の当接部１６ｂのカム面１６ｄに当たる。この状態から飲料容器Ｄをさらに容器収容体１１の下方に押し込んでいくと、カム面１６ｄの作用により各支持片１６が容器収容体１１の外周側に傾動するとともにゴム部材１７が伸張変形する。そして、図５及び図６に示すように、飲料容器Ｄが容器収容体１１の底壁上に置かれた状態では、飲料容器Ｄを取り囲むように配置された３つの各支持片１６によって飲料容器Ｄが容器収容体１１の中央部に保持される。
【００１６】
また、カップホルダ１０に収容された状態の飲料容器Ｄを容器収容体１１から引き上げると、各支持片１６の当接部１６ｂが飲料容器の外周面から外れ、飲料容器Ｄが容器収容体１１から取り出される。
【００１７】
以上のように構成された実施形態においては、容器収容体１１に対して傾動可能に支持された複数の支持片１６との周囲に、環状のゴム部材１７を巻き付けるように組み付け、このゴム部材１７が各支持片１６に対して容器収容体１１の内向きに力を加えるようにした。このため、従来の特許文献１，２とは異なり、小さくて取り扱い難いねじりコイルばねを容器収容体１１と各支持片１６との間に組み付けることがないので、その組付作業が容易となる。従って、サイズの異なる飲料容器Ｄを確実に保持することができるばかりでなく、組立作業がより容易となる。さらに、ゴム部材１７の交換修理も容易となる。
【００１８】
また、支持片１６を、飲料容器Ｄを取り囲むように複数設けるとともに、容器収容体１１及び各支持片１６に対して環状のゴム部材１７をその周囲から巻き付けるように設けた。このため、支持片１６毎にねじりコイルばねを組み付ける必要がないので、組立作業がより一層容易となる。従って、飲料容器Ｄを取り囲む複数の支持片１６によって、平断面形状が異なる複数種の飲料容器Ｄをより確実に保持することができるとともに、組立作業がより一層容易となる。
【００１９】
なお、環状のゴム材に代えて、環状にした引張コイルスプリングをばね部材として用いてもよい。
また、支持片１６を１つ又は２つとしてもよく、あるいは、４つ以上としてもよい。
【００２０】
また、ゴム部材１７を環状とせず、容器収容体１１及び支持片１６の周囲に巻き付けるとともにその両端をそれぞれ容器収容体１１の外周面上に固定してもよい。
【図面の簡単な説明】
【００２１】
【図１】一実施形態のカップホルダを示す斜視図。
【図２】同じく平面図。
【図３】図２におけるａ−ａ線断面図。
【図４】同じく分解斜視図。
【図５】同じく平面図。
【図６】図５におけるｂ−ｂ線断面図。
【図７】（ａ）は従来のカップホルダを示す斜視図、（ｂ）は同じく縦断面図。
【図８】（ａ），（ｂ）は共に従来のカップホルダを示す縦断面図。
【符号の説明】
【００２２】
１０…カップホルダ、１１…容器収容体、１６…支持片、１７…ばね部材としてのゴム部材、Ｄ…飲料容器。
【図１】
2007161086.tif 000003
【図２】
2007161086.tif 000004
【図３】
2007161086.tif 000005
【図４】
2007161086.tif 000006
【図５】
2007161086.tif 000007
【図６】
2007161086.tif 000008
【図７】
2007161086.tif 000009
【図８】
2007161086.tif 000010